(57)【要約】  【課題】  複写牽制画像が記録された原本の複写に対する監視を可能とする画像出力装置を提供する。  【解決手段】  本発明においては、複写時に複写される画像及び／又は複写時に完全には複写されない画像を含む複写牽制画像と共に画像を出力する際に、画像出力装置を特定するための情報、日時を示す情報、又は画像の利用者を示す情報等の出力状況情報の内容に応じて、複写時に複写される画像の位置、大きさ若しくは数、又は複写時に完全には複写されない画像の種類等を決定して出力する。複写牽制画像が記録された原本が複写されて流出した場合に、複写牽制画像に基づいて原本の流出元を追跡することが可能となり、複写牽制画像が記録された機密文書などの原本の複写に対する監視が可能となる。【選択図】        図４
2005269074.tif 000002
【特許請求の範囲】
【請求項１】
複写時に複写される画像及び／又は複写時に完全には複写されない画像を含む複写牽制画像を作成する作成手段と、出力すべき画像と共に前記複写牽制画像を出力する出力手段とを備える画像出力装置において、
前記作成手段は、出力すべき画像が出力される際の状況を示す出力状況情報に応じた内容の複写牽制画像を作成すべくなしてあることを特徴とする画像出力装置。
【請求項２】
前記作成手段は、複写時に複写される画像の内容を前記出力状況情報の内容に応じて決定する手段を有することを特徴とする請求項１に記載の画像出力装置。
【請求項３】
前記作成手段は、複写時に複写される所定の画像の位置、数及び大きさの内の少なくとも一つを前記出力状況情報の内容に応じて決定する手段を有することを特徴とする請求項１に記載の画像出力装置。
【請求項４】
前記作成手段は、複写時に完全には複写されない画像の内容を前記出力状況情報の内容に応じて決定する手段を有することを特徴とする請求項１乃至３のいずれかひとつに記載の画像出力装置。
【請求項５】
前記作成手段は、複写時に完全には複写されない画像の種類を前記出力状況情報の内容に応じて決定する手段を有することを特徴とする請求項１乃至３のいずれかひとつに記載の画像出力装置。
【請求項６】
前記出力状況情報は、出力元を特定するための情報、日時を示す情報、及び画像の利用者を示す情報の内の少なくとも一つであることを特徴とする請求項１乃至５のいずれかひとつに記載の画像出力装置。
【請求項７】
画像を読み取る読み取り手段と、
該読み取り手段が画像を読み取ったタイミングで前記出力状況情報の内容を確定する確定手段とを更に備え、
前記作成手段は、前記確定手段により内容が確定された前記出力状況情報の内容に応じた複写牽制画像を作成すべくなしてあり、
前記出力手段は、前記読み取り手段が読み取った画像と共に前記複写牽制画像を出力すべくなしてあること
を特徴とする請求項１乃至６のいずれかひとつに記載の画像出力装置。
【請求項８】
前記出力手段が画像を出力するタイミングで前記出力状況情報の内容を確定する手段を更に備えることを特徴とする請求項１乃至６のいずれかひとつに記載の画像出力装置。
【発明の詳細な説明】
【技術分野】
【０００１】
本発明は、本来出力すべき画像と共に複写牽制画像を出力する画像出力装置に関する。
【背景技術】
【０００２】
従来、機密文書、各種の証明書及び定期券などには、それらを原本とした複写を牽制することを目的とした複写牽制画像が記録されていることが多い。複写牽制画像は、原本では目視が困難であるが複写時に複写される画像（以下、複写可能画像と言う）と、薄く記録されていて複写時に完全には複写されない画像（以下、複写不能画像と言う）とを含んで構成されることが多い。複写可能画像は、「無効」，「コピー」等の文字、又は×印などが用いられており、原本では複写不能画像によって隠蔽されて目視が困難になっている。このような複写牽制画像を複写した場合は、複写不能画像が複写されずに複写可能画像のみが複写されるので、複写可能画像が明瞭に記録され、原本とは明らかに異なった複写物が生成される。このため、書類に複写牽制画像を記録しておくことによってこの書類を不正に複写することを牽制することができる。
【０００３】
特許文献１には、複写可能画像と複写不能画像とからなる複写牽制画像を無地の記録用紙に記録する際に、複写不能画像によって複写可能画像が隠蔽された良好な複写牽制画像を作成することができる技術が開示されている。
【特許文献１】特開２００３−２０４４３１号公報
【発明の開示】
【発明が解決しようとする課題】
【０００４】
前述の如き複写牽制画像を含む画像を記録した原本であっても、複写物が原本とは異なっていることを承知で複写されて利用されることがある。また、画像の読み取り技術が発達した結果、複写不能画像が良好に複写されるように複写牽制画像を複写することも不可能ではなくなっている。このように、原本である機密文書に複写牽制画像を記録してあっても、その複写物が利用される場合があり、この場合には複写物が外部に流出することによって機密文書に含まれる機密情報が漏洩する危険がある。
【０００５】
本発明は、斯かる事情に鑑みてなされたものであって、その目的とするところは、複写牽制画像が記録された原本の複写物が流出した場合にその内容を確認して流出元を追跡できるようにすることにより、複写牽制画像が記録された原本の複写に対する監視を可能とする画像出力装置を提供することにある。
【課題を解決するための手段】
【０００６】
本発明に係る画像出力装置は、複写時に複写される画像及び／又は複写時に完全には複写されない画像を含む複写牽制画像を作成する作成手段と、出力すべき画像と共に前記複写牽制画像を出力する出力手段とを備える画像出力装置において、前記作成手段は、出力すべき画像が出力される際の状況を示す出力状況情報に応じた内容の複写牽制画像を作成すべくなしてあることを特徴とする。
【０００７】
本発明においては、複写時に複写される複写可能画像及び／又は複写時に完全には複写されない複写不能画像を含む複写牽制画像と共に画像を出力する画像出力装置は、画像が出力される際の状況を示す出力状況情報の内容に応じた複写牽制画像を作成する。
【０００８】
本発明に係る画像出力装置は、前記作成手段は、複写時に複写される画像の内容を前記出力状況情報の内容に応じて決定する手段を有することを特徴とする。
【０００９】
また本発明においては、出力状況情報の内容に応じて、作成すべき複写可能画像の内容を決定する。
【００１０】
本発明に係る画像出力装置は、前記作成手段は、複写時に複写される所定の画像の位置、数及び大きさの内の少なくとも一つを前記出力状況情報の内容に応じて決定する手段を有することを特徴とする。
【００１１】
また本発明においては、所定の複写可能画像の位置、数及び大きさの内の少なくとも一つを出力状況情報の内容に応じて決定する。
【００１２】
本発明に係る画像出力装置は、前記作成手段は、複写時に完全には複写されない画像の内容を前記出力状況情報の内容に応じて決定する手段を有することを特徴とする。
【００１３】
また本発明においては、出力状況情報の内容に応じて、作成すべき複写不能画像の内容を決定する。
【００１４】
本発明に係る画像出力装置は、前記作成手段は、複写時に完全には複写されない画像の種類を前記出力状況情報の内容に応じて決定する手段を有することを特徴とする。
【００１５】
また本発明においては、複写牽制画像に含まれる複写不能画像の種類を出力状況情報の内容に応じて決定する。
【００１６】
本発明に係る画像出力装置は、前記出力状況情報は、出力元を特定するための情報、日時を示す情報、及び画像の利用者を示す情報の内の少なくとも一つであることを特徴とする。
【００１７】
また本発明においては、画像出力装置を特定するための情報、日時を示す情報、及び画像の利用者を示す情報の内の少なくとも一つに応じて複写牽制画像を作成する。
【００１８】
本発明に係る画像出力装置は、画像を読み取る読み取り手段と、該読み取り手段が画像を読み取ったタイミングで前記出力状況情報の内容を確定する確定手段とを更に備え、前記作成手段は、前記確定手段により内容が確定された前記出力状況情報の内容に応じた複写牽制画像を作成すべくなしてあり、前記出力手段は、前記読み取り手段が読み取った画像と共に前記複写牽制画像を出力すべくなしてあることを特徴とする。
【００１９】
また本発明においては、画像出力装置は、原稿画像を読み取り、原稿画像を読み取ったタイミングで出力状況情報の内容を確定し、確定した出力状況情報の内容に応じた複写牽制画像と共に読み取った画像を出力する複写装置又はファクシミリ装置である。
【００２０】
本発明に係る画像出力装置は、前記出力手段が画像を出力するタイミングで前記出力状況情報の内容を確定する手段を更に備えることを特徴とする。
【００２１】
また本発明においては、画像出力装置は、画像を出力するタイミングで出力状況情報を確定し、確定した出力状況情報の内容に応じた複写牽制画像と共に画像を出力するプリンタ装置である。
【発明の効果】
【００２２】
本発明にあっては、画像が出力される際の状況を示す出力状況情報に応じた複写牽制画像を作成するので、複写牽制画像が記録された原本が複写されて流出した場合に、その流出元を追跡することができる。これにより、複写牽制画像が記録された機密文書などの原本の複写に対する監視が可能となる。
【００２３】
また本発明にあっては、出力状況情報の内容に応じて複写可能画像の位置、大きさ又は数等を決定するので、画像の原本の複写により複写可能画像が明瞭に記録された複写物の内容を確認して複写物の流出元を追跡することができる。
【００２４】
また本発明にあっては、出力状況情報の内容に応じて複写不能画像の種類等を決定するので、複写不能画像が再現されるように画像の原本が複写された複写物についても、複写不能画像の内容を確認して複写物の流出元を追跡することができる。
【００２５】
また本発明にあっては、画像出力装置を特定するための情報、日時を示す情報、又は画像の利用者を示す情報等に応じて複写牽制画像を作成するので、これらの情報に基づいて複写物の流出元を追跡することができる。
【００２６】
また本発明にあっては、本発明の画像出力装置は、画像を読み取って出力状況情報を確定させる複写装置又はファクシミリ装置であるので、複写装置で複写した複写物、又はファクシミリ装置で送信した画像の送信物について、更にその複写物の流出元の追跡が可能となる。
【００２７】
更に本発明にあっては、本発明の画像出力装置は、画像の出力時に出力状況情報を確定させるプリンタ装置であるので、プリンタ装置で画像を記録した原本について、その複写物の流出元の追跡が可能となる等、本発明は優れた効果を奏する。
【発明を実施するための最良の形態】
【００２８】
以下、本発明をその実施の形態を示す図面に基づき具体的に説明する。
図１は、本発明の画像出力装置の内部の機能構成を示す機能ブロック図である。画像出力装置１は、演算を行うＣＰＵ及び演算に伴う一時的な情報を記憶するＲＡＭ等からなる制御部１１を備えている。制御部１１には、画像出力装置１を制御するための制御プログラムを記憶しているＲＯＭ１６、及び画像出力装置１が行う処理を管理するための管理情報を記憶するメモリである管理部１７が接続されている。また制御部１１には、記録用紙に記録された画像を読み取って画像データを生成する画像読み取り部１２が接続されている。また制御部１１には、ファクシミリ通信を行うモデム部１５１が接続されており、モデム部１５１は公衆回線網Ｎ２に接続されている。画像出力装置１は、画像読み取り部１２が生成した画像データを、モデム部１５１に接続された公衆回線網Ｎ２を介して他のファクシミリ装置３へファクシミリ通信にて送信することができる。また、制御部１１には、画像データを一時的に記憶する画像メモリ１４２と、画像データから画像を形成して記録用紙に記録する画像形成部１４１とが接続されている。画像出力装置１は、他のファクシミリ装置から公衆回線網Ｎ２を介してファクシミリ通信で送信された画像データをモデム部１５１にて受信し、受信した画像データを画像メモリ１４２に記憶し、記憶した画像データから画像形成部１６にて画像を形成する。このようにして、画像出力装置１は、ファクシミリ装置として機能する。
【００２９】
また、制御部１１には、通信ネットワークＮ１に接続された通信部１５２が接続されている。通信部１５２は、通信ネットワークＮ１に接続されたパーソナルコンピュータ（ＰＣ）２から通信ネットワークＮ１を介して画像データを受信し、画像形成部１４１は、受信した画像データから画像を形成する。このようにして、画像出力装置１は、プリンタ装置として機能する。
【００３０】
また、制御部１１には、ハードディスク又は光ディスク等からなる記憶部１９が接続されている。記憶部１９は、データ処理装置２が処理する画像データを記憶する。また、制御部１１には、使用者からの操作を受け付ける操作部１３が接続されており、操作部１３は、操作のために必要な情報を表示する液晶パネル等の表示手段と、使用者の操作により制御命令などの情報が入力されるタッチパネル又はテンキー等の入力手段とからなっている。更に制御部１１には、時間を刻時する時計部１８が接続されている。
【００３１】
またＲＯＭ１６は、複写牽制画像の素となる画像データである複写牽制画像データを記憶している。図２は、画像出力装置１のＲＯＭ１６が記憶している複写牽制画像データの例を示す模式図である。ＲＯＭ１６は、図２（ａ)に示す如く、「コピー禁止」という複写可能画像を記憶している。またＲＯＭ１６は、図２（ｂ）〜（ｄ）に示す如き複数の複写不能画像を記憶している。画像を出力する際には、画像出力装置１を特定する情報又は画像を出力する日時を示す情報等の画像が出力される際の状況を示す出力状況情報に応じて、ＲＯＭ１６が記憶している複写可能画像はその形態が決定され、複写不能画像はどれを使用するかが決定され、複写牽制画像が作成される。
【００３２】
また管理部１７は、出力状況情報の内容と複写牽制画像の形態との対応の設定を記録した設定データを記憶している。図３は、出力状況情報の内容と複写牽制画像の形態変化との対応例を示した概念図である。図３に示した対応例では、画像出力装置１の設置部署に、複写不能画像の種類が対応している。即ち、設定データは、事業所において画像出力装置１が設置されている部署に対応して、図２（ｂ）〜（ｄ）のいずれかに示された複写不能画像を指定する設定が記録されている。出力された画像に含まれる複写不能画像から、画像を出力した画像出力装置１を特定することができる。同様にして、図３に示した対応例では、日時、画像の出力を指示した使用者、画像の原本の配布先の夫々の情報に対して、複写可能画像の位置、大きさ、数の夫々が対応している。設定データは、日時を示す情報、使用者を示す情報、配布先を示す情報に対応して、複写可能画像の位置、大きさ、数がどのように変化するかの設定を記録している。
【００３３】
図４は、複写牽制画像の例を示す模式図である。図４（ａ）に示す如く、複写牽制画像は複写不能画像と複写可能画像とからなる。図４（ａ）に示す複写牽制画像を出力した画像出力装置１とは別の部署に設置されている画像出力装置１が複写牽制画像を出力した場合は、図４（ｂ）に示す如く、複写不能画像の種類が異なっている複写牽制画像が出力される。また別の使用者が画像出力装置１を操作して画像を出力した場合は、図４（ｃ）に示す如く使用者に応じて複写可能画像の大きさが異なった複写牽制画像が出力される。また別の日時に画像を出力した場合は、図４（ｄ）に示す如く日時に応じて複写可能画像の位置が異なった複写牽制画像が出力される。また配布先が異なる画像を出力した場合には、図４（ｅ）に示す如く配布先に応じて複写可能画像の数が異なった複写牽制画像が出力される。更に、全ての条件が異なっている場合は、図４（ｆ）に示す如く、多様な複写牽制画像が組み合わさって出力される。なお、出力状況情報の内容に応じて図４に示したもの以外の方法で複写不能画像又は複写可能画像の内容を決定する形態であってもよい。また、複写牽制画像は、図３に示した出力状況情報の内容とは別の情報の内容に応じて作成される形態であってもよい。
【００３４】
図５は、本発明の画像出力装置１がＰＣ２から画像データを受信して画像を出力する処理の手順を示すフローチャートである。画像出力装置１の制御部１１は、ＲＯＭ１６が記憶する制御プログラムに従って以下の処理を実行する。
【００３５】
ＰＣ２は使用者に操作されて画像データを作成し、画像の配布先を示す情報及び画像の出力の指示を受け付け、ＰＣ２のＩＰアドレス等の使用者を示す情報、画像の配布先を示す情報、及び作成した画像データを通信ネットワークＮ１を介して画像出力装置１へ送信する。画像出力装置１の制御部１１は、ＰＣ２から送信される使用者を示す情報、配布先を示す情報及び画像データの通信部１５２での受信を監視している（Ｓ１１）。使用者を示す情報、配布先を示す情報及び画像データの受信がない場合は（Ｓ１１：ＮＯ）、制御部１１は、受信の監視を続行する。使用者を示す情報、配布先を示す情報及び作成した画像データを通信部１５２で受信した場合は（Ｓ１１：ＹＥＳ）、制御部１１は、時計部１８が刻時する日時に従って、出力状況情報の内容を確定する（Ｓ１２）。制御部１１は、次に、図４に示す如き、確定した出力状況情報の内容に応じた複写牽制画像を作成する（Ｓ１３）。制御部１１は、次に、画像形成部１４１に、受信した画像データに基づいて画像を形成させ、作成した複写牽制画像と共に画像を記録用紙に記録して出力させ（Ｓ１４）、処理を終了する。
【００３６】
図６は、本発明の画像出力装置１が画像を複写して出力する処理の手順を示すフローチャートである。画像出力装置１の制御部１１は、ＲＯＭ１６が記憶する制御プログラムに従って以下の処理を実行する。使用者は、原稿画像を画像読み取り部１２にセットし、使用者が携帯しているＩＤカードが記録している使用者コードを読み取らせるか、又は操作部１３を操作して使用者コードを入力するか等の方法により、使用者を示す情報を画像出力装置１へ入力する。更に使用者は、操作部１３を操作することにより、配布先を示す情報及び画像の出力指示を画像出力装置１へ入力する。画像出力装置１の制御部１１は、使用者を示す情報、配布先を示す情報及び画像の出力指示の受付を監視している（Ｓ２１）。使用者を示す情報、配布先を示す情報及び画像の出力指示の受付がない場合は（Ｓ２１：ＮＯ）、受付の監視を続行する。使用者を示す情報、配布先を示す情報及び画像の出力指示を受け付けた場合は（Ｓ２１：ＹＥＳ）、制御部１１は、画像読み取り部１２に原稿画像を読み取らせ（Ｓ２２）、原稿画像を読み取ったタイミングで時計部１８が計測する日時を確定して、出力状況情報の内容を確定する（Ｓ２３）。制御部１１は、次に、図４に示す如き、確定した出力状況情報の内容に応じた複写牽制画像を作成する（Ｓ２４）。制御部１１は、次に、画像形成部１４１に、受信した画像データに基づいて画像を形成させ、作成した複写牽制画像と共に画像を記録用紙に記録して出力させ（Ｓ２５）、処理を終了する。なお、ステップＳ２５では、画像を記録用紙に記録するのではなく、複写牽制画像を含む画像のデータをファクシミリ通信にてモデム部１５１から公衆回線網Ｎ２を介して他のファクシミリ装置３へ送信することで画像を出力してもよい。
【００３７】
以上詳述した如く、本発明においては、画像出力装置１を特定する情報又は画像を出力する日時を示す情報等の画像が出力される際の状況を示す出力状況情報に応じて、複写牽制画像を作成するので、複写牽制画像が記録された原本が複写されて流出した場合に、その流出元を追跡することができる。これにより、複写牽制画像が記録された機密文書などの原本の複写に対する監視が可能となる。
【００３８】
また本発明においては、出力状況情報の内容に応じて複写可能画像の位置、大きさ又は数等を決定するので、画像の原本の複写により複写可能画像が明瞭に記録された複写物の内容を確認して複写物の流出元を追跡することができる。また本発明においては、出力状況情報の内容に応じて複写不能画像の種類等を決定するので、複写不能画像が再現されるように画像の原本が複写された複写物についても、複写不能画像の内容を確認して複写物の流出元を追跡することができる。また本発明においては、画像出力装置を特定するための情報、日時を示す情報、又は画像の利用者を示す情報の内容に応じて複写牽制画像を作成するので、これらの情報に基づいて複写物の流出元を追跡することができる。
【００３９】
また本発明においては、本発明の画像出力装置は、画像を読み取って出力状況情報を確定させる複写装置又はファクシミリ装置であるので、複写装置で複写した複写物、又はファクシミリ装置で送信した画像の送信物について、更にその複写物の流出元の追跡が可能となる。更に本発明においては、本発明の画像出力装置は、画像の出力時に出力状況情報を確定させるプリンタ装置であるので、プリンタ装置で画像を記録した原本について、その複写物の流出元の追跡が可能となる。
【００４０】
なお、本実施の形態においては、本発明に係る画像出力装置１は、ファクシミリ装置及びプリンタ装置などの複数の機能を備えた複合機であるとしたが、これに限るものではなく、ファクシミリ装置、複写装置、及びプリンタ装置などの単体の機能を有する装置であってもよい。
【図面の簡単な説明】
【００４１】
【図１】本発明の画像出力装置の内部の機能構成を示す機能ブロック図である。
【図２】画像出力装置のＲＯＭが記憶している複写牽制画像データの例を示す模式図である。
【図３】出力状況情報の内容と複写牽制画像の形態変化との対応例を示した概念図である。
【図４】複写牽制画像の例を示す模式図である。
【図５】本発明の画像出力装置がＰＣから画像データを受信して画像を出力する処理の手順を示すフローチャートである。
【図６】本発明の画像出力装置が画像を複写して出力する処理の手順を示すフローチャートである。
【符号の説明】
【００４２】
１  画像出力装置
１１  制御部
１２  画像読み取り部
１４１  画像形成部
１５２  通信部
１６  ＲＯＭ
２  ＰＣ
Ｎ１  通信ネットワーク
【図１】
2005269074.tif 000003
【図２】
2005269074.tif 000004
【図３】
2005269074.tif 000005
【図４】
2005269074.tif 000006
【図５】
2005269074.tif 000007
【図６】
2005269074.tif 000008